(57)【特許請求の範囲】
【請求項１】
表示装置であって、
照射された光を変調して画像を表示するための複数の素子と、
前記複数の素子のそれぞれに一対一で対応して設けられ、各前記素子を備える複数のセルと、
前記複数のセルのそれぞれに一対一で対応して設けられると共に、各前記セル内に配置された、前記複数の素子の変調状態を制御する複数の駆動回路と、を備え、
前記複数の駆動回路は、
外部から与えられる第１の信号に応じて、前記複数のセル内に記憶されている第１種の画像と、前記第１種の画像と異なり、かつ、最低輝度値を有する第２種の画像とのいずれか一方を選択し、前記選択した画像が前記表示装置によって一括して表示されるように、前記複数の素子の変調状態を一斉に制御する、ことを特徴とする表示装置。
【請求項２】
請求項１に記載の表示装置であって、
前記複数の駆動回路のそれぞれは、
前記第１種の画像を表す第１の画像データに含まれる第１の画素データを記憶する第１の記憶部を含み、
前記複数の駆動回路は、
前記第１の信号に応じて、前記第１の記憶部に記憶された前記第１の画素データと、前記第２種の画像を表す第２の画素データと、のうちのいずれか一方を選択して、前記選択した画素データである選択画素データを一斉に前記複数の素子に供給する、ことを特徴とする表示装置。
【請求項３】
請求項２に記載の表示装置であって、
前記複数の駆動回路のそれぞれは、
前記表示装置によって前記第１種の画像の次に表示されるべき画像を表す次回画像データに含まれる次回画素データを記憶する第２の記憶部を含み、
前記複数の駆動回路は、
前記第１の信号に応じて前記第２種の画像を表す第２の画像データに含まれる第２の画素データを前記複数の素子に供給している期間に、外部から与えられる第２の信号に応じて、前記第２の記憶部から前記第１の記憶部に前記次回画素データを転送する、ことを特徴とする表示装置。
【請求項４】
照射された光を変調して画像を表示するための複数の素子と、前記複数の素子のそれぞれに一対一で対応して設けられ、各前記素子を備える複数のセルと、前記複数のセルのそれぞれに一対一で対応して設けられると共に、各前記セル内に配置された、前記複数の素子の変調状態を制御する複数の駆動回路と、を備える表示装置の制御方法であって、
前記複数の駆動回路が、
外部から与えられる第１の信号に応じて、前記複数のセル内に記憶されている第１種の画像と、前記第１種の画像と異なり、かつ、最低輝度値を有する第２種の画像とのいずれか一方を選択する工程と、
前記選択した画像が前記表示装置によって一括して表示されるように、前記複数の素子の変調状態を一斉に制御する工程と、を実行することを特徴とする制御方法。
【請求項５】
表示システムであって、
請求項１〜請求項３までのいずれか一項に記載の表示装置と、
前記複数の素子に向けて光を射出する光源装置と、を備える表示システム。
【発明の詳細な説明】
【技術分野】
【０００１】
この発明は、表示装置の技術に関する。
【背景技術】
【０００２】
表示装置は、通常、マトリクス状に配置された複数の光素子を備えており、画像は、該複数の光射出素子の動作状態を設定することによって表示される。この際、画像は、複数の走査線を順次走査することによって表示される。
【０００３】
なお、特許文献１では、複数の走査線を順次走査することによって第１のフレームの画像と第２のフレームの画像との間に黒色画像を表示し、これにより、動画ボケを抑制する技術が開示されている。また、特許文献２では、液晶パネルのバックライトを断続的に駆動することによって、動画ボケを抑制する技術が開示されている。
【先行技術文献】
【特許文献】
【０００４】
【特許文献１】特開２００３−６６９１８号公報
【特許文献２】特開２００２−２８７７００号公報
【発明の概要】
【発明が解決しようとする課題】
【０００５】
上記のように、表示装置によって動画像が表示される場合には、動画ボケが発生し得るという問題があった。
【０００６】
この発明は、従来技術における上述の課題を解決するためになされたものであり、動画像を表示する場合に発生し得る動画ボケを新たな手法で低減することを目的とする。
【課題を解決するための手段】
【０００７】
上述の課題の少なくとも一部を解決するため、本発明の第１の装置は、表示装置であって、
複数の光射出素子と、
前記複数の光射出素子に対応する複数の素子制御部と、
を備え、
前記複数の素子制御部のそれぞれは、前記複数の素子制御部に同じタイミングで与えられる第１の信号に応じて、前記表示装置によって表示されるべき第１の画像を表す第１の画像データに含まれる第１の画素データと、最低輝度値を示す特定画素データと、のうちの一方を選択して、選択画素データを前記光射出素子に供給して前記光射出素子の動作状態を制御することを特徴とする。
【０００８】
この装置では、複数の素子制御部に同じタイミングで与えられる第１の信号に応じて、複数の光射出素子の動作状態が一斉に変更されるため、第１の画像を一括して表示することができると共に、最低輝度値を有する画像を一括して表示することができる。換言すれば、第１の画像を一括して表示することができると共に、該第１の画像の表示を一括して中止することができる。これにより、動画像を表示する場合に発生し得る動画ボケを低減することができる。
【０００９】
上記の装置において、
前記複数の素子制御部のそれぞれは、
前記第１の画素データを記憶する第１の記憶部と、
前記第１の信号に応じて、前記第１の記憶部に記憶された前記第１の画素データと、前記特定画素データと、のうちの一方を選択して、前記選択画素データを前記光射出素子に供給する選択供給部と、
を備えることが好ましい。
【００１０】
上記の装置において、
前記選択供給部は、
前記第１の記憶部に記憶された前記第１の画素データの値と、前記光射出素子が受け取る前記第１の画素データの値と、が等しくなるように、前記第１の記憶部に記憶された前記第１の画素データを前記光射出素子に供給する際に、前記第１の記憶部に記憶された前記第１の画素データを増幅する第１の増幅部を備えることが好ましい。
【００１１】
こうすれば、画素データの値が変更されずに済む。
【００１２】
上記の装置において、
前記複数の素子制御部のそれぞれは、さらに、
前記表示装置によって前記第１の画像の次に表示されるべき第２の画像を表す第２の画像データに含まれる第２の画素データを記憶する第２の記憶部と、
前記第２の記憶部に記憶された前記第２の画素データが前記第１の画素データとして前記第１の記憶部に記憶されるように、前記複数の素子制御部に同じタイミングで与えられる第２の信号に応じて、前記第２の記憶部から前記第１の記憶部に前記第２の画素データを転送する転送部と、
を備えることが好ましい。
【００１３】
こうすれば、複数の素子制御部に同じタイミングで与えられる第２の信号に応じて、複数の第１の記憶部に記憶される複数の第１の画素データを一斉に変更することができる。
【００１４】
したがって、仮に、複数の第１の記憶部に記憶される画素データが一斉に変更される際に特定画素データが選択されない場合には、第１の画像を一括して表示した後に、第２の画像を一括して表示することができる。換言すれば、この場合には、第１の画像の一部と第２の画像の一部とが同時に表示されるオーバラップ期間を排除することができる。これにより、オーバラップ期間に起因してフリッカが発生するのを抑制することができる。
【００１５】
上記の装置において、
前記転送部は、
前記第２の記憶部に記憶された前記第２の画素データの値と、前記転送後に前記第１の記憶部に前記第１の画素データとして記憶される前記第２の画素データの値と、が等しくなるように、前記第２の記憶部から前記第１の記憶部に前記第２の画素データを転送する際に、前記第２の画素データを増幅する第２の増幅部を備えることが好ましい。
【００１６】
こうすれば、画素データの値が変更されずに済む。
【００１７】
上記の装置において、さらに、
前記複数の素子制御部に前記特定画素データを供給する特定画素データ供給部を備え、
前記特定画素データ供給部は、前記特定画素データの値を、第１の値と、前記第１の値と符号の異なる第２の値と、に交互に変更するようにしてもよい。
【００１８】
こうすれば、複数の光射出素子の劣化を低減することができる。
【００１９】
上記の装置において、さらに、
前記複数の素子制御部を互いに異なるタイミングで選択するための選択部を備え、
前記複数の素子制御部のそれぞれは、
前記選択部によって選択されたときに、外部から与えられる前記第２の画素データを取得して前記第２の記憶部に供給する取得部を備えることが好ましい。
【００２０】
こうすれば、複数の素子制御部において、第２の画像データに含まれる複数の第２の画素データを互いに異なるタイミングで複数の第２の記憶部に記憶させることができる。
【００２１】
本発明の第２の装置は、表示システムであって、
上記の第２の記憶部と転送部とを備える前記表示装置と、
前記表示装置を制御するための制御部と、
を備え、
前記制御部は、前記第１の信号に応じて前記特定画素データが前記複数の光射出素子に供給される期間に前記第２の信号に応じて前記第２の画素データが前記第２の記憶部から前記第１の記憶部に転送されるように、前記第１の信号と前記第２の信号とを前記複数の素子制御部に供給することを特徴とする。
【００２２】
こうすれば、第１の画像と第２の画像との間に最低輝度値を有する画像を表示することができるため、動画ボケを効率よく低減することができる。
【００２３】
本発明の第３の装置は、表示システムであって、
上記のいずれかに記載の前記表示装置と、
前記複数の光射出素子に向けて光を射出する光源装置と、
前記複数の光射出素子に断続的に光が入射するように、前記光源装置を制御する制御部と、
を備え、
前記制御部は、前記第１の信号に応じて前記複数の光射出素子に前記特定画素データが供給される期間に前記複数の光射出素子に光が入射しないように、前記光源装置を制御することを特徴とする。
【００２４】
こうすれば、動画ボケをより低減することができる。
【００２５】
上記の装置において、
前記制御部は、
前記光源装置に、前記複数の光射出素子に向けて連続的に光を射出させる第１の動作モードと、
前記光源装置に、前記複数の光射出素子に向けて断続的に光を射出させる第２の動作モードと、
を有し、
前記制御部は、前記第１の動作モードでは、前記光源装置に第１の電力を供給し、前記第２の動作モードでは、前記光源装置に前記第１の電力よりも大きい第２の電力を供給することが好ましい。
【００２６】
こうすれば、第２の動作モードが選択された場合に観察者が感じる画像の明るさが、第１の動作モードが選択された場合に観察者が感じる画像の明るさよりも低下するのを抑制することができる。
【００２７】
本発明の第４の装置は、表示装置であって、
複数の光射出素子と、
前記表示装置によって表示される画像が、第１種の画像から、前記第１種の画像と異なり、かつ、最低輝度値を有する第２種の画像に、一括して変更されるように、前記複数の光射出素子の動作状態を所定のタイミングで一斉に制御する動作状態制御部と、
を備えることを特徴とする。
【００２８】
この装置では、複数の素子制御部の動作状態が所定のタイミングで一斉に変更されるため、表示装置によって表示される画像を第１種の画像から最低輝度値を有する第２種の画像に一括して変更することができる。換言すれば、第１種の画像の表示を一括して中止することができる。これにより、動画像を表示する場合に発生し得る動画ボケを低減することができる。
【００２９】
なお、この発明は、表示装置およびその制御方法、該表示装置を備える表示システムおよびその制御方法、これらの方法または装置の機能を実現するためのコンピュータプログラム、そのコンピュータプログラムを記録した記録媒体、そのコンピュータプログラムを含み搬送波内に具現化されたデータ信号、等の種々の態様で実現することができる。
例えば、以下の形態でこの発明は実現できる。
［形態１］
表示装置であって、
照射された光を変調して画像を表示するための複数の素子と、
前記複数の素子のそれぞれに一対一で対応して設けられ、各前記素子を備える複数のセルと、
前記複数のセルのそれぞれに一対一で対応して設けられると共に、各前記セル内に配置された、前記複数の素子の変調状態を制御する複数の駆動回路と、を備え、
前記複数の駆動回路は、
外部から与えられる第１の信号に応じて、前記複数のセル内に記憶されている第１種の画像と、前記第１種の画像と異なり、かつ、最低輝度値を有する第２種の画像とのいずれか一方を選択し、前記選択した画像が前記表示装置によって一括して表示されるように、前記複数の素子の変調状態を一斉に制御する、ことを特徴とする表示装置。
［形態２］
形態１に記載の表示装置であって、
前記複数の駆動回路のそれぞれは、
前記第１種の画像を表す第１の画像データに含まれる第１の画素データを記憶する第１の記憶部を含み、
前記複数の駆動回路は、
前記第１の信号に応じて、前記第１の記憶部に記憶された前記第１の画素データと、前記第２種の画像を表す第２の画素データと、のうちのいずれか一方を選択して、前記選択した画素データである選択画素データを一斉に前記複数の素子に供給する、ことを特徴とする表示装置。
［形態３］
形態２に記載の表示装置であって、
前記複数の駆動回路のそれぞれは、
前記表示装置によって前記第１種の画像の次に表示されるべき画像を表す次回画像データに含まれる次回画素データを記憶する第２の記憶部を含み、
前記複数の駆動回路は、
前記第１の信号に応じて前記第２種の画像を表す第２の画像データに含まれる第２の画素データを前記複数の素子に供給している期間に、外部から与えられる第２の信号に応じて、前記第２の記憶部から前記第１の記憶部に前記次回画素データを転送する、ことを特徴とする表示装置。
［形態４］
照射された光を変調して画像を表示するための複数の素子と、前記複数の素子のそれぞれに一対一で対応して設けられ、各前記素子を備える複数のセルと、前記複数のセルのそれぞれに一対一で対応して設けられると共に、各前記セル内に配置された、前記複数の素子の変調状態を制御する複数の駆動回路と、を備える表示装置の制御方法であって、
前記複数の駆動回路が、
外部から与えられる第１の信号に応じて、前記複数のセル内に記憶されている第１種の画像と、前記第１種の画像と異なり、かつ、最低輝度値を有する第２種の画像とのいずれか一方を選択する工程と、
前記選択した画像が前記表示装置によって一括して表示されるように、前記複数の素子の変調状態を一斉に制御する工程と、を実行することを特徴とする制御方法。
［形態５］
表示システムであって、
形態１〜形態３までのいずれか一つに記載の表示装置と、
前記複数の素子に向けて光を射出する光源装置と、を備える表示システム。
【図面の簡単な説明】
【００３０】
【図１】第１実施例におけるプロジェクタＰＪの概略構成を示す説明図である。
【図２】液晶ライトバルブ２２０Ｒの内部構成を示す説明図である。
【図３】（ｍ，ｎ）番目のセル３０２の内部構成を示す説明図である。
【図４】第１実施例において第１の動作モードが選択された場合の液晶ライトバルブ２２０Ｒの動作に関するタイミングチャートである。
【図５】第１実施例において第２の動作モードが選択された場合の液晶ライトバルブ２２０Ｒの動作に関するタイミングチャートである。
【図６】変形例における（ｍ，ｎ）番目のセル３０２’の内部構成を示す説明図である。
【図７】第２実施例におけるプロジェクタＰＪＢの概略構成を示す説明図である。
【図８】第２実施例において第１の動作モードが選択された場合の液晶ライトバルブ２２０Ｒの動作に関するタイミングチャートである。
【図９】第２実施例において第２の動作モードが選択された場合の液晶ライトバルブ２２０Ｒの動作に関するタイミングチャートである。
【発明を実施するための形態】
【００３１】
次に、本発明の実施の形態を実施例に基づいて以下の順序で説明する。
Ａ．第１実施例：
Ａ−１．プロジェクタの構成：
Ａ−２．液晶ライトバルブの構成：
Ａ−３．液晶ライトバルブの動作：
Ａ−３−１．静止画像を表示する場合の動作（第１の動作モード）：
Ａ−３−２．動画像を表示する場合の動作（第２の動作モード）：
Ａ−４．セルの変形例：
Ｂ．第２実施例：
【００３２】
Ａ．第１実施例：
Ａ−１．プロジェクタの構成：
図１は、第１実施例におけるプロジェクタＰＪの概略構成を示す説明図である。プロジェクタＰＪは、３つの色光（赤色光，緑色光，青色光）を射出する照明光学系２１０と、３つの液晶ライトバルブ２２０Ｒ，Ｇ，Ｂと、投写光学系２３０と、を備えている。なお、図１では、光学系の図示は、かなり簡略化されている。また、プロジェクタＰＪは、光源ランプ駆動回路１１０と、アナログ画像データ供給回路１２０と、制御回路１５０と、を備えている。
【００３３】
光源ランプ駆動回路１１０は、照明光学系２１０に含まれる光源ランプ２１２に電力を供給して、光源ランプ２１２を駆動する。
【００３４】
アナログ画像データ供給回路１２０は、３つの液晶ライトバルブ２２０Ｒ，Ｇ，Ｂにアナログ画像データＦＤを供給する。アナログ画像データＦＤは、３つの色データＲ，Ｇ，Ｂを含んでおり、３つの色データＲ，Ｇ，Ｂは、３つの液晶ライトバルブ２２０Ｒ，Ｇ，Ｂにそれぞれ供給される。
【００３５】
アナログ画像データ供給回路１２０内部では、例えば、以下のような処理が実行される。外部から供給された第１のアナログ画像データが第１のデジタル画像データに変換されてフレームメモリに書き込まれると共に、フレームメモリから第２のデジタル画像データが読み出されて第２のアナログ画像データに変換される。第２のアナログ画像データは、制御回路１５０から供給される液晶ライトバルブ２２０Ｒ，Ｇ，Ｂに適した同期信号を利用して生成されており、液晶ライトバルブ２２０Ｒ，Ｇ，Ｂに適した解像度（画素数）を有している。また、液晶素子（より具体的には液晶材料）の劣化を低減させるために、例えば１フレーム毎に、第２のアナログ画像データの極性が反転される。このようにして、アナログ画像データ供給回路１２０からは、液晶ライトバルブ２２０Ｒ，Ｇ，Ｂに適したアナログ画像データＦＤが出力される。
【００３６】
また、アナログ画像データ供給回路１２０は、表示対象の画像が静止画像であるか動画像であるかを判断する機能を有している。この判断では、例えば、連続する２つの画像データを用いたパターンマッチング処理が実行される。そして、２つの画像データが一致する場合には、表示対象画像が静止画像であると判断され、２つの画像データが一致しない場合には、表示対象画像が動画像であると判断される。
【００３７】
３つの液晶ライトバルブ２２０Ｒ，Ｇ，Ｂは、アナログ画像データ供給回路１２０から供給されたアナログ画像データＦＤに含まれる３つの色データＲ，Ｇ，Ｂを用いて、照明光学系２１０から射出された３つの色光を変調する。これにより、各液晶ライトバルブ２２０Ｒ，Ｇ，Ｂの射出面には、各色の画像を表す光（画像光）が形成される。
【００３８】
投写光学系２３０は、各液晶ライトバルブ２２０Ｒ，Ｇ，Ｂに形成された各色の画像光をスクリーン上に投写して、スクリーン上にカラー画像を形成する。
【００３９】
制御回路１５０は、光源ランプ駆動回路１１０を制御して、光源ランプ２１２に電力を供給させる。また、制御回路１５０は、アナログ画像データ供給回路１２０を制御して、液晶ライトバルブ２２０Ｒ，Ｇ，Ｂに適したアナログ画像データＦＤを生成させる。さらに、制御回路１５０は、３つの液晶ライトバルブ２２０Ｒ，Ｇ，Ｂを制御して、アナログ画像データＦＤに応じた画像光を生成させる。
【００４０】
制御回路１５０は、第１の動作モードと第２の動作モードとを有している。制御回路１５０Ｂは、アナログ画像データ供給回路１２０から表示対象画像に関する判断結果を取得し、判断結果に応じて、動作モードを選択する。第１の動作モードは、表示対象画像が静止画像であると判断された場合に選択され、制御回路１５０は、３つの液晶ライトバルブ２２０Ｒ，Ｇ，Ｂに有意な画像の表示を継続させる。一方、第２の動作モードは、表示対象画像が動画像であると判断された場合に選択され、制御回路１５０は、３つの液晶ライトバルブ２２０Ｒ，Ｇ，Ｂに間欠的に黒色画像（最低輝度値を有する画像）を表示させる。
【００４１】
なお、本実施例における各液晶ライトバルブ２２０Ｒ，Ｇ，Ｂが本発明における表示装置に相当し、制御回路１５０が本発明における制御部に相当する。
【００４２】
Ａ−２．液晶ライトバルブの構成：
本実施例では、液晶ライトバルブ２２０Ｒ，Ｇ，Ｂは、ＬＣＯＳ(Liquid Crystal On Silicon)と呼ばれるタイプの液晶パネルを備えている。周知のように、ＬＣＯＳは、シリコン基板と透明基板との間に液晶層が挟まれた構造を有している。
【００４３】
図２は、液晶ライトバルブ２２０Ｒの内部構成を示す説明図である。なお、他の液晶ライトバルブ２２０Ｇ，Ｂについても同様である。
【００４４】
液晶ライトバルブ２２０Ｒは、セルアレイと駆動回路とを含んでいる。セルアレイは、Ｍ行Ｎ列のマトリクス状に配列されたＭ×Ｎ個のセル３０２を含んでいる。駆動回路は、行選択回路３２０と、列選択回路３３０と、画素データ供給回路３４０と、電圧選択回路３５０と、を備えている。なお、行選択回路３２０は、走査線ドライバとも呼ばれ、列選択回路３３０と画素データ供給回路３４０とを含む回路は、データドライバとも呼ばれる。駆動回路は、セルアレイに含まれる電気回路と共にシリコン基板上に形成されている。
【００４５】
行選択回路３２０は、シフトレジスタを含んでおり、データ端子Ｄと、クロック端子Ｃと、Ｍ個の出力端子＃Ｑ1〜＃ＱMと、を備えている。なお、符号「＃」は負論理であることを示しており、図２では、符号「−（バー）」によって負論理であることが示されている。データ端子Ｄには、制御回路１５０から供給された垂直同期信号ＶＳが与えられ、クロック端子Ｃには、制御回路１５０から供給された水平同期信号ＨＳが与えられる。２つの同期信号ＶＳ，ＨＳは、各液晶ライトバルブ２２０Ｒ，Ｇ，Ｂに適した周波数を有しており、Ｌレベルのパルスを含んでいる。そして、Ｍ個の出力端子＃Ｑ1〜＃ＱMからは、Ｈレベルのパルスを含むＭ個の行選択信号ＲＳ1〜ＲＳMが出力される。各行選択信号ＲＳ1〜ＲＳMは、１Ｖの周期（垂直同期信号ＶＳの周期）を有すると共に、１Ｈの期間（水平同期信号ＨＳの周期）ずつ順次位相がずれている。
【００４６】
行選択回路３２０のｍ（１≦ｍ≦Ｍ）番目の出力端子＃Ｑmは、セルアレイ内のｍ行目に配置されたＮ個のセル３０２に接続されており、該Ｎ個のセル３０２には、ｍ番目の行選択信号ＲＳmが与えられる。
【００４７】
列選択回路３３０は、シフトレジスタを含んでおり、データ端子Ｄと、クロック端子Ｃと、Ｎ個の出力端子＃Ｑ1〜＃ＱNと、を備えている。データ端子Ｄには、制御回路１５０から供給された水平同期信号ＨＳが与えられ、クロック端子Ｃには、制御回路１５０から供給されたドットクロック信号ＤＣが与えられる。ドットクロック信号ＤＣは、アナログ画像データＦＤを構成する各色データＲ，Ｇ，Ｂに含まれる１画素分の画素データの出力期間と等しい周期を有している。そして、Ｎ個の出力端子＃Ｑ1〜＃ＱNからは、Ｈレベルのパルスを含むＮ個の列選択信号ＣＳ1〜ＣＳNが出力される。各列選択信号ＣＳ1〜ＣＳNは、１Ｈの周期を有すると共に、ドットクロック信号ＤＣの周期ずつ順次位相がずれている。
【００４８】
画素データ供給回路３４０は、Ｎ個のｎチャネル型の電界効果トランジスタＴＲ1〜ＴＲNを備えている。画素データ供給回路３４０は、アナログ画像データ供給回路１２０から供給された色データＲを受け取り、色データＲに含まれる各画素データをセルアレイ内の対応するセル３０２に供給する。
【００４９】
画素データ供給回路３４０のｎ（１≦ｎ≦Ｎ）番目のトランジスタＴＲnのゲート端子Ｇには、行選択回路３２０のｎ番目の出力端子＃Ｑnが接続されており、ｎ番目の列選択信号ＣＳnが与えられる。ｎ番目のトランジスタＴＲnのドレイン端子Ｄには、色データＲが与えられる。ただし、色データＲは、Ｎ個のトランジスタＴＲ1〜ＴＲNのドレイン端子Ｄに共通に与えられている。ｎ番目のトランジスタＴＲnのソース端子Ｓは、セルアレイのｎ列目に配置されたＭ個のセル３０２に接続されており、該Ｍ個のセル３０２には、ｎ番目の列選択信号ＣＳnに応じて色データＲに含まれる１画素分の画素データが与えられる。ただし、ｎ列目に配置されたＭ個のセル３０２のうち、ｍ番目の行選択信号ＲＳmによって選択されたｍ行目に配置された１つのセル３０２のみが、該画素データを受け取る。
【００５０】
なお、以下では、ｍ番目の行、かつ、ｎ番目の列に配置されたセル３０２を「（ｍ，ｎ）番目」のセル３０２と呼ぶ。
【００５１】
（ｍ，ｎ）番目のセル３０２には、上記のように、行選択回路３２０から供給されるｍ番目の行選択信号ＲＳmが与えられると共に、画素データ供給回路３４０のｎ番目のトランジスタＴＲnから供給される画素データが与えられる。また、Ｍ×Ｎ個のセル３０２には、制御回路１５０から供給された転送信号ＦＴと黒色画像選択信号ＢＴとが共通に与えられる。
【００５２】
電圧選択回路３５０は、２つの入力端子と１つの出力端子とを有するスイッチである。電圧選択回路３５０の第１の入力端子と第２の入力端子とには、それぞれ、プロジェクタＰＪ内部の図示しないＤＣ電源から、正の電圧Ｖ＋と負の電圧Ｖ−とが供給されている。なお、正の電圧Ｖ＋の値と負の電圧Ｖ−の値とは、それぞれ、色データＲに含まれる画素データが取り得る最大値と最小値とに等しい。また、電圧選択回路３５０には、制御回路１５０から供給された電圧選択信号ＶＢＳが与えられる。電圧選択回路３５０は、電圧選択信号ＶＢＳに応じて、２つの電圧Ｖ＋，Ｖ−のうちの一方を選択する。具体的には、電圧選択信号ＶＢＳがＨレベルに設定される場合には、正の電圧Ｖ＋が選択され、電圧選択信号ＶＢＳがＬレベルに設定される場合には、負の電圧Ｖ−が選択される。電圧選択回路３５０の出力端子は、Ｍ×Ｎ個のセル３０２に接続されており、選択された電圧ＶＢ（Ｖ＋またはＶ−）は、Ｍ×Ｎ個のセル３０２に共通に与えられる。
【００５３】
図３は、（ｍ，ｎ）番目のセル３０２の内部構成を示す説明図である。図３では、画素データ供給回路３４０（図２）に含まれるｎ番目のトランジスタＴＲnも示されている。
【００５４】
図示するように、（ｍ，ｎ）番目のセル３０２は、液晶素子ＬＣと、２つのキャパシタＣａ，Ｃｂと、２つのｎチャネル型の電界効果トランジスタＴＲａ，ＴＲｂと、２つのバッファ回路ＢＦａ，ＢＦｂと、スイッチＳＷと、を備えている。なお、液晶素子ＬＣは、キャパシタと同様に電荷を保持する機能を有している。また、スイッチＳＷは、実際には、トランジスタを用いて構成されている。
【００５５】
第１のトランジスタＴＲａのゲート端子Ｇは、行選択回路３２０のｍ番目の出力端子＃Ｑmと接続されており、該ゲート端子Ｇには、ｍ番目の行選択信号ＲＳmが与えられる。第１のトランジスタＴＲａのドレイン端子Ｄは、画素データ供給回路３４０に含まれるｎ番目のトランジスタＴＲnのソース端子Ｓと接続されており、画素データが与えられる。第１のトランジスタＴＲａのソース端子Ｓは、第１のバッファ回路ＢＦａの入力端子と、第１のキャパシタＣａの一方の端子と、に接続さている。第１のキャパシタＣａの他方の端子は、所定の電位（例えばグランド）に設定されている。
【００５６】
第２のトランジスタＴＲｂのゲート端子Ｇには、制御回路１５０から供給された転送信号ＦＴが与えられる。第２のトランジスタＴＲｂのドレイン端子Ｄは、第１のバッファ回路ＢＦａの出力端子に接続されている。第２のトランジスタＴＲｂのソース端子Ｓは、第２のバッファ回路ＢＦｂの入力端子と、第２のキャパシタＣｂの一方の端子と、に接続さている。第２のキャパシタＣｂの他方の端子は、所定の電位（例えばグランド）に設定されている。
【００５７】
スイッチＳＷは、２つの入力端子と１つの出力端子とを有している。第１の入力端子は、第２のバッファ回路ＢＦｂの出力端子に接続されている。第２の入力端子は、電圧選択回路３５０（図２）の出力端子と接続されており、該第２の入力端子には、選択電圧ＶＢが与えられる。スイッチＳＷの出力端子は、液晶素子ＬＣの一方の端子に接続されている。液晶素子ＬＣの他方の端子は、所定の電位（例えばグランド）に設定されている。
【００５８】
スイッチＳＷには、制御回路１５０から供給された黒色画像選択信号ＢＴが与えられている。スイッチＳＷは、黒色画像選択信号ＢＴに応じて、動作状態を変更する。具体的には、黒色画像選択信号ＢＴがＨレベルに設定される場合には、第１の入力端子と出力端子とが導通する第１の状態に設定され、このとき、液晶素子ＬＣには、第２のバッファ回路ＢＦｂから画素データが供給される。一方、黒色画像選択信号ＢＴがＬレベルに設定される場合には、第２の入力端子と出力端子とが導通する第２の状態に設定され、このとき、液晶素子ＬＣには、選択電圧ＶＢ、すなわち、黒色画素データ（最低輝度値を示す特定画素データ）が供給される。
【００５９】
Ａ−３．液晶ライトバルブの動作：
Ａ−３−１．静止画像を表示する場合の動作（第１の動作モード）：
前述したように、静止画像が表示される場合には、第１の動作モードが選択される。図４は、第１実施例において第１の動作モードが選択された場合の液晶ライトバルブ２２０Ｒの動作に関するタイミングチャートである。図４（ａ）は、アナログ画像データ供給回路１２０から供給される色データＲを示している。図４（ｂ）は、制御回路１５０から供給される垂直同期信号ＶＳを示している。図４（ｃ）は、第１のキャパシタＣａにデータが格納されるタイミングを示している。図４（ｄ）は、制御回路１５０から供給される転送信号ＦＴを示している。本実施例では、転送信号ＦＴは、垂直同期信号ＶＳを反転および遅延させた信号である。すなわち、転送信号ＦＴは、垂直同期信号ＶＳと同じ周波数を有しており、転送信号ＦＴに含まれるＨレベルパルスは、垂直同期信号ＶＳに含まれるＬレベルパルスよりやや遅れて発生する。図４（ｅ）は、第２のキャパシタＣｂに記憶されるデータを示している。図４（ｆ）は、制御回路１５０から供給される黒色画像選択信号ＢＴを示している。図４（ｇ）は、制御回路１５０から供給される電圧選択信号ＶＢＳを示している。図４（ｈ）は、液晶素子ＬＣが保持するデータ、すなわち、液晶素子ＬＣの動作状態を決定するデータを示している。
【００６０】
なお、第１の動作モードでは、黒色画像の表示は行われない。このため、黒色画像選択信号ＢＴと電圧選択信号ＶＢＳとは一定の信号レベル（Ｈレベル）で維持されている。また、本実施例では、光源ランプ２１２は点灯した状態で維持されている。
【００６１】
図中、各期間Ｔ１〜Ｔ３は、１Ｖ期間である。１Ｖ期間には、Ｍ個の行選択信号ＲＳ1〜ＲＳMが順次Ｈレベルに設定される。そして、各行選択信号ＲＳ1〜ＲＳMがＨレベルに設定される１Ｈ期間には、Ｎ個の列選択信号ＣＳ1〜ＣＳNが順次Ｈレベルに設定される。
【００６２】
第１の期間Ｔ１では、ｋ番目のフレームの画像データＦ（ｋ）（図４（ａ））を構成するＭ×Ｎ個の画素データが、Ｍ×Ｎ個のセル３０２内のＭ×Ｎ個の第１のキャパシタＣａ（図４（ｃ））に互いに異なるタイミングで順次格納される。ここでは、（ｍ，ｎ）番目のセル３０２に注目して具体的な動作を説明する。ｍ番目の行選択信号ＲＳmがＨレベルに設定されると、ｍ行目のＮ個のセル３０２内のＮ個の第１のトランジスタＴＲａがオン状態となり、Ｎ個の第１のキャパシタＣａに画素データを格納可能な状態となる。この状態で、ｎ番目の列選択信号ＣＳnがＨレベルに設定されると、画素データ供給回路３４０に含まれるｎ番目のトランジスタＴＲnがオン状態となる。このとき、色データＲに含まれる（ｍ，ｎ）番目の画素データが、該トランジスタＴＲnと（ｍ，ｎ）番目のセル３０２内の第１のトランジスタＴＲａとを介して、該セル３０２内の第１のキャパシタＣａに格納される。より具体的には、（ｍ，ｎ）番目のセル３０２内の第１のキャパシタＣａに電荷が蓄積され、この結果、該キャパシタＣａの電圧が、（ｍ，ｎ）番目の画素データの電圧に応じた値に設定される。このように、第１の期間Ｔ１では、行選択信号ＲＳ1〜ＲＳMと列選択信号ＣＳ1〜ＣＳNとによってＭ×Ｎ個のセル３０２が互いに異なるタイミングで選択される。そして、ｋ番目のフレームの画像データＦ（ｋ）を構成するＭ×Ｎ個の画素データが、Ｍ×Ｎ個の第１のキャパシタＣａに互いに異なるタイミングで順次格納される。なお、各第１のキャパシタＣａの電圧は、１Ｖ期間維持される。具体的には、（ｍ，ｎ）番目のセル３０２の第１のキャパシタＣａの電圧は、第２の期間Ｔ２において、ｍ番目の行選択信号ＲＳmとｎ番目の列選択信号ＣＳnとが共にＨレベルに設定されるまで維持される。
【００６３】
なお、第１の期間Ｔ１では、Ｍ×Ｎ個の第２のキャパシタＣｂ（図４（ｅ））には、（ｋ−１）番目のフレームの画像データＦ（ｋ−１）を構成するＭ×Ｎ個の画素データが記憶されている。そして、第１の動作モードでは、スイッチＳＷは第１の状態で維持されており、液晶素子ＬＣには、第２のバッファ回路ＢＦｂを介して、第２のキャパシタＣｂに記憶された画像データが供給される。このため、Ｍ×Ｎ個の液晶素子ＬＣ（図４（ｈ））は、画像データＦ（ｋ−１）を構成するＭ×Ｎ個の画素データを保持しており、該Ｍ×Ｎ個の画素データによって決定される動作状態に設定されている。そして、光源ランプ２１２から射出された光は、Ｍ×Ｎ個の液晶素子ＬＣの動作状態に応じて変調されており、これにより、（ｋ−１）番目のフレームの画像が表示されている。
【００６４】
ｋ番目のフレームの画像データＦ（ｋ）を構成するＭ×Ｎ個の画素データがＭ×Ｎ個の第１のキャパシタＣａに順次格納された後、転送信号ＦＴ（図４（ｄ））がＨレベルに設定される。転送信号ＦＴがＨレベルに設定されると、Ｍ×Ｎ個の第２のトランジスタＴＲｂが一斉にオン状態となる。このとき、Ｍ×Ｎ個の第１のキャパシタＣａに記憶されていたｋ番目のフレームの画像データＦ（ｋ）を構成するＭ×Ｎ個の画素データは、Ｍ×Ｎ個の第１のバッファ回路ＢＦａを介して、一斉にＭ×Ｎ個の第２のキャパシタＣｂに転送されて格納される。また、第１の動作モードでは、スイッチＳＷは第１の動作状態で維持されているため、Ｍ×Ｎ個の第２のキャパシタＣｂに記憶された画素データは、Ｍ×Ｎ個の第２のバッファ回路ＢＦｂを介して、Ｍ×Ｎ個の液晶素子ＬＣ（図４（ｈ））に転送されて保持される。すなわち、Ｍ×Ｎ個の液晶素子ＬＣが保持していた画像データＦ（ｋ−１）を構成するＭ×Ｎ個の画素データは、画像データＦ（ｋ）を構成するＭ×Ｎ個の画素データに一斉に変更される。そして、Ｍ×Ｎ個の液晶素子ＬＣ（図４（ｅ））は、変更後のＭ×Ｎ個の画素データに基づいて、一斉に動作状態を変更する。このとき、光源ランプ２１２から射出された光は、Ｍ×Ｎ個の液晶素子ＬＣの変更後の動作状態に応じて一斉に変調される。これにより、（ｋ−１）番目のフレームの画像に代えて、ｋ番目のフレームの画像が表示される。
【００６５】
転送信号ＦＴ（図４（ｄ））がＬレベルに戻ると、Ｍ×Ｎ個の第２のトランジスタＴＲｂがオフ状態となり、Ｍ×Ｎ個の第２のキャパシタＣｂは、画素データを１Ｖ期間記憶する。そして、Ｍ×Ｎ個の液晶素子ＬＣには、第２のキャパシタＣｂに記憶された画素データが１Ｖ期間供給される。このため、Ｍ×Ｎ個の液晶素子ＬＣの動作状態が１Ｖ期間維持され、ｋ番目のフレームの画像が１Ｖ期間表示される。
【００６６】
本実施例では、第１のバッファ回路ＢＦａは、第１のキャパシタＣａに記憶された画素データの値（電圧値）と、転送後に第２のキャパシタＣｂが受け取って記憶する画素データの値（電圧値）と、が等しくなるように、転送の際に、第１のキャパシタＣａに記憶された画素データを増幅する機能を有している。これにより、第１のキャパシタＣａから第２のキャパシタＣｂに画素データを転送する際に、画素データの値（電圧値）が変更されずに済む。また、第２のバッファ回路ＢＦｂは、第２のキャパシタＣｂに記憶された画素データの値（電圧値）と、転送後に液晶素子ＬＣが受け取って保持する画素データの値（電圧値）と、が等しくなるように、転送の際に、第２のキャパシタＣｂに記憶された画素データを増幅する機能を有している。これにより、第２のキャパシタＣｂから液晶素子ＬＣに画素データを転送する際に、画素データの値（電圧値）が変更されずに済む。
【００６７】
他の期間Ｔ２，Ｔ３でも、上記と同様の処理が実行される。例えば、第２の期間Ｔ２では、Ｍ×Ｎ個の第１のキャパシタＣａ（図４（ｃ））には、（ｋ＋１）番目のフレームの画像データＦ（ｋ＋１）を構成するＭ×Ｎ個の画素データが順次格納される。そして、転送信号ＦＴに従って、Ｍ×Ｎ個の第１のキャパシタＣａに記憶されているＭ×Ｎ個の画素データが、Ｍ×Ｎ個の第２のキャパシタＣｂとＭ×Ｎ個の液晶素子ＬＣ（図４（ｅ））とに、一斉に転送される。そして、Ｍ×Ｎ個の液晶素子ＬＣは、供給されたＭ×Ｎ個の画素データに基づいて、一斉に動作状態を変更する。これにより、ｋ番目のフレームの画像に代えて、（ｋ＋１）番目のフレームの画像が表示される。
【００６８】
Ａ−３−２．動画像を表示する場合の動作（第２の動作モード）：
前述したように、動画像が表示される場合には、第２の動作モードが選択される。周知のように、ＣＲＴやプラズマパネルでは、インパルス方式によって画像が表示されるが、液晶パネルでは、ホールド方式によって画像が表示される。インパルス方式では、１フレーム期間（１Ｖ期間）内に画像が表示されていない非表示期間が存在するが、ホールド方式では、１フレーム期間（１Ｖ期間）内に非表示期間が存在しない。このため、ホールド方式では、画像内に表現された対象物の実際の位置と、観察者によって予測される該対象物の位置と、の間にズレが生じ、この結果、動画ボケが発生する。
【００６９】
そこで、本実施例では、第２の動作モードが選択された場合には、１フレーム期間（１Ｖ期間）内に非表示期間を設けることによって、擬似的なインパルス方式で画像を表示している。この結果、動画ボケを低減することができる。
【００７０】
図５は、第１実施例において第２の動作モードが選択された場合の液晶ライトバルブ２２０Ｒの動作に関するタイミングチャートである。図５（ａ）〜（ｅ）は、図４（ａ）〜（ｅ）と同じであるが、図５（ｆ）〜（ｈ）が変更されている。
【００７１】
黒色画像選択信号ＢＴ（図５（ｆ））は、垂直同期信号ＶＳの周波数の２倍の周波数を有しており、１Ｖ期間に２つのＬレベルのパルスを含んでいる。本実施例では、各期間Ｔ１〜Ｔ３内の時刻ｔ１において、黒色画像選択信号ＢＴがＬレベルに移行し、その後の時刻ｔ２において、転送信号ＦＴ（図４（ｄ））がＨレベルに移行する。そして、時刻ｔ３において、転送信号ＦＴがＬレベルに戻り、その後の時刻ｔ４において、黒色画像選択信号ＢＴがＨレベルに戻る。また、期間ｔ５〜ｔ６では、転送信号ＦＴはＬレベルのままで維持されているが、黒色画像選択信号ＢＴはＬレベルに変化している。
【００７２】
電圧選択信号ＶＢＳ（図５（ｇ））は、垂直同期信号ＶＳの周波数の１／２倍の周波数を有しており、１Ｖ期間毎に、ＨレベルまたはＬレベルに交互に設定される。
【００７３】
図５（ｈ）は、図４（ｈ）と同様であるが、図中、ハッチングが付された期間が挿入されている。ハッチングが付された期間では、各液晶素子ＬＣには、黒色画素データが保持され、黒色画像が表示される。
【００７４】
前述したように、第１の期間Ｔ１では、ｋ番目のフレームの画像データＦ（ｋ）（図５（ａ））を構成するＭ×Ｎ個の画素データが、Ｍ×Ｎ個のセル３０２内のＭ×Ｎ個の第１のキャパシタＣａ（図５（ｃ））に互いに異なるタイミングで順次格納される。
【００７５】
なお、第１の期間Ｔ１の後半期間では、Ｍ×Ｎ個の第２のキャパシタＣｂ（図５（ｅ））には、（ｋ−１）番目のフレームの画像データＦ（ｋ−１）を構成するＭ×Ｎ個の画素データが記憶されている。また、第１の期間Ｔ１の後半期間では、図４（ｆ）と同様に、黒色画像選択信号ＢＴ（図５（ｆ））はＨレベルに設定されている。このため、Ｍ×Ｎ個の液晶素子ＬＣには、Ｍ×Ｎ個の第２のキャパシタＣｂと同じ画素データが保持されている。そして、Ｍ×Ｎ個の液晶素子ＬＣは、該Ｍ×Ｎ個の画素データによって決定される動作状態に設定されている。このため、第１の期間Ｔ１の後半期間では、（ｋ−１）番目のフレームの画像が表示されている。
【００７６】
第２の期間Ｔ２内の時刻ｔ１において、黒色画像選択信号ＢＴがＬレベルに移行すると、スイッチＳＷは第２の状態に設定され、液晶素子ＬＣには、選択電圧ＶＢが供給される。このとき、Ｍ×Ｎ個の液晶素子ＬＣ（図５（ｈ））には、Ｍ×Ｎ個の黒色画素データが保持される。そして、Ｍ×Ｎ個の液晶素子ＬＣは、該Ｍ×Ｎ個の黒色画素データによって決定される動作状態に設定される。これにより、黒色画像選択信号ＢＴがＬレベルに設定される期間ｔ１〜ｔ４では、（ｋ−１）番目のフレームの画像に代えて、黒色画像が表示される。
【００７７】
その後、期間ｔ２〜ｔ３において転送信号ＦＴ（図５（ｄ））がＨレベルに設定されると、Ｍ×Ｎ個の第１のキャパシタＣａに記憶されたｋ番目のフレームの画像データＦ（ｋ）を構成するＭ×Ｎ個の画素データは、一斉にＭ×Ｎ個の第２のキャパシタＣｂ（図５（ｅ））に転送されて格納される。ただし、期間ｔ１〜ｔ４では、黒色画像選択信号ＢＴがＬレベルに設定されており、スイッチＳＷが第２の状態に設定されているため、各セル３０２内の第２のキャパシタＣｂに格納された画素データは、液晶素子ＬＣに転送されない。
【００７８】
そして、時刻ｔ４において黒色画像選択信号ＢＴがＨレベルに戻ると、スイッチＳＷは第１の状態に設定され、液晶素子ＬＣには、第２のバッファ回路ＢＦｂを介して、第２のキャパシタＣｂに記憶された画素データが転送されて保持される。すなわち、Ｍ×Ｎ個の液晶素子ＬＣが保持していた（ｋ−１）番目のフレームの画像データＦ（ｋ−１）を構成するＭ×Ｎ個の画素データは、ｋ番目のフレームの画像データＦ（ｋ）を構成するＭ×Ｎ個の画素データに一斉に変更される。そして、Ｍ×Ｎ個の液晶素子ＬＣ（図５（ｈ））は、変更後のＭ×Ｎ個の画素データに基づいて、一斉に動作状態を変更する。これにより、黒色画像に代えて、ｋ番目のフレームの画像が表示される。
【００７９】
時刻ｔ５では、黒色画像選択信号ＢＴが再度Ｌレベルに移行する。このとき、スイッチＳＷは第２の状態に設定され、液晶素子ＬＣには、選択電圧ＶＢが供給される。この結果、期間ｔ５〜ｔ６では、ｋ番目のフレームの画像に代えて、黒色画像が表示される。そして、時刻ｔ６では、黒色画像選択信号ＢＴが再度Ｈレベルに戻る。このとき、スイッチＳＷは第１の状態に設定され、液晶素子ＬＣには、第２のバッファ回路ＢＦｂを介して、第２のキャパシタＣｂに記憶された画素データが転送されて保持される。期間ｔ５〜ｔ６では、転送信号ＦＴはＬレベルで維持されたままであり、第２のキャパシタＣｂに記憶された画素データの値は変更されていない。このため、時刻ｔ６以降では、黒色画像に代えて、ｋ番目のフレームの画像が再度表示される。
【００８０】
なお、本実施例では、黒色画像選択信号ＢＴの周波数は、垂直同期信号ＶＳの周波数の２倍に設定されているが、これに代えて、１倍以上に設定されてもよい。ただし、黒色画像選択信号ＢＴの周波数が比較的低い場合には、黒色画像が目立ち易く、フリッカが発生し易い。このため、黒色画像選択信号ＢＴの周波数は、垂直同期信号ＶＳの周波数の２倍以上であることが好ましい。こうすれば、黒色画像の存在、換言すれば、画像の非表示期間の存在に起因するフリッカの発生を抑制することができる。また、本実施例では、黒色画像選択信号ＢＴがＬレベルに設定される期間は、黒色画像選択信号ＢＴの１周期の約２０％の期間に設定されているが、これに代えて、約１０％〜約４０％の期間に設定されるようにしてもよい。
【００８１】
Ａ−４．セルの変形例：
図６は、変形例における（ｍ，ｎ）番目のセル３０２’の内部構成を示す説明図であり、図３に対応する。セル３０２’は、セル３０２（図３）とほぼ同様であるが、スイッチＳＷ’の位置と第２のバッファ回路ＢＦｂ’の位置とが変更されている。
【００８２】
具体的には、スイッチＳＷ’の第１の入力端子は、第２のトランジスタＴＲｂのソース端子Ｓと、第２のキャパシタＣｂの一方の端子と、に接続されている。なお、スイッチＳＷ’の第２の入力端子は、第１実施例と同様に、電圧選択回路３５０（図２）の出力端子と接続されている。スイッチＳＷ’の出力端子は、第２のバッファ回路ＢＦｂの入力端子に接続されている。そして、第２のバッファ回路ＢＦｂの出力端子は、液晶素子ＬＣの一方の端子に接続されている。
【００８３】
本例の構成を採用する場合にも、液晶ライトバルブ２２０Ｒ，Ｇ，Ｂは、図４，図５と同様に動作する。
【００８４】
以上説明したように、本実施例では、黒色画像選択信号ＢＴに従って、複数の第２のキャパシタＣｂに記憶された複数の画素データと、複数の黒色画素データと、のうちの一方が、複数の液晶素子ＬＣに一斉に供給され、複数の液晶素子ＬＣの動作状態が一斉に変更されるため、有意な画像を一括して表示することができると共に、黒色画像（特定画像）を一括して表示することができる。換言すれば、有意な画像を一括して表示することができると共に、該画像の表示を一括して中止することができる。これにより、動画像を表示する場合に、動画ボケの発生を低減することができる。
【００８５】
特に、本実施例では、図５の期間ｔ２〜ｔ３では、黒色画像選択信号ＢＴがＬレベルに設定される期間と、転送信号ＦＴがＨレベルに設定される期間と、が重なっており、第１の画像（例えばｋ番目のフレームの画像）と第２の画像（例えば（ｋ＋１）番目のフレームの画像）との間に、黒色画像（特定画像）が表示される。このため、上記の２つの期間が重なっておらず第１の画像の直後に第２の画像が表示される場合と比較して、観察者によって感じられる第１の画像から第２の画像への急激な変化が緩和され、動画ボケを効率よく低減することができる。
【００８６】
なお、本実施例では、第１の画像と第２の画像との間に黒色画像が表示されているが、上記のように、黒色画像選択信号ＢＴがＬレベルに設定される期間と、転送信号ＦＴがＨレベルに設定される期間と、をずらすことによって、第１の画像を一括して表示した後に、第２の画像を一括して表示することができる。従来では、複数の走査線が順次選択されるため、第１の画像と第２の画像とを順次表示する場合には、通常、第１の画像の一部と、第２の画像の一部とが、同時に表示されるオーバラップ期間が存在していた。しかしながら、本実施例では、転送信号ＦＴに従って、複数の第１のキャパシタＣａに記憶された複数の画素データを、複数の第２のキャパシタＣｂに一斉に格納することができる。このため、第１の画像を一括して表示した後に、第２の画像を一括して表示することができる。換言すれば、第１の画像の一部と、第２の画像の一部と、が同時に表示されるオーバラップ期間を排除することができる。これにより、動画像を表示する場合に、オーバラップ期間に起因してフリッカ（ちらつき）が発生するのを抑制することができる。
【００８７】
なお、以上の説明から分かるように、本実施例における複数のセル３０２内の複数の液晶素子ＬＣが本発明における複数の光射出素子に対応し、複数のセル３０２内の複数の液晶素子ＬＣを除く複数の素子群Ｃａ，Ｃｂ，ＴＲａ，ＴＲｂ，ＢＦａ，ＢＦｂ，ＳＷが本発明における複数の素子制御部および動作状態制御部に相当する。
【００８８】
特に、本実施例における第２のキャパシタＣｂが、本発明における第１の記憶部に相当し、スイッチＳＷと第２のバッファ回路ＢＦｂとが、本発明における選択供給部に相当する。そして、第２のバッファ回路ＢＦｂは、本発明における第１の増幅部に相当する。また、本実施例における第１のキャパシタＣａが、本発明における第２の記憶部に相当し、第１のバッファ回路ＢＦａと第２のトランジスタＴＲｂとが、本発明における転送部に相当する。そして、第１のバッファ回路ＢＦａは、本発明における第２の増幅部に相当する。さらに、本実施例における第１のトランジスタＴＲａが本発明における取得部に相当する。
【００８９】
また、本実施例における電圧選択回路３５０が本発明における特定画素データ供給部に相当し、駆動回路に含まれる行選択回路３２０と列選択回路３３０とが本発明における選択部に相当する。
【００９０】
Ｂ．第２実施例：
図７は、第２実施例におけるプロジェクタＰＪＢの概略構成を示す説明図である。図７は、図１とほぼ同じであるが、３つの照明光学系２６０Ｒ，Ｇ，Ｂと発光部駆動回路１１２と制御回路１５０Ｂとが変更されている。
【００９１】
３つの照明光学系２６０Ｒ，Ｇ，Ｂは、それぞれ、発光部２６２Ｒ，Ｇ，Ｂを備えており、赤色光と緑色光と青色光とを射出する。なお、本実施例では、各発光部２６２Ｒ，Ｇ，Ｂは、発光ダイオード（ＬＥＤ）を備えているが、これに代えて、半導体レーザなどの他の固体光源が利用されてもよい。
【００９２】
制御回路１５０Ｂは、第１実施例と同様に、発光部駆動回路１１２と、アナログ画像データ供給回路１２０と、３つの液晶ライトバルブ２２０Ｒ，Ｇ，Ｂと、を制御する機能を有している。また、制御回路１５０Ｂは、第１実施例と同様に、アナログ画像データ供給回路１２０から表示対象画像に関する判断結果を取得し、判断結果に応じて、動作モードを選択する。
【００９３】
特に、本実施例では、制御回路１５０Ｂは、選択された動作モードに応じて、発光部駆動回路１１２に電力選択信号ＰＳを供給する機能を有している。具体的には、表示対象画像が静止画像であると判断された場合（第１の動作モードが選択された場合）には、制御回路１５０Ｂは、各発光部２６２Ｒ，Ｇ，Ｂから比較的低い強度を有する光が射出されるように、発光部駆動回路１１２に第１の電力選択信号ＰＳ１を供給する。一方、表示対象画像が動画像であると判断された場合（第２の動作モードが選択された場合）には、制御回路１５０Ｂは、各発光部２６２Ｒ，Ｇ，Ｂから比較的高い強度を有する光が射出されるように、発光部駆動回路１１２に第２の電力選択信号ＰＳ２を供給する。
【００９４】
また、制御回路１５０Ｂは、選択された動作モードに応じて、発光部駆動回路１１２に制御信号ＬＳを供給する機能を有している。具体的には、表示対象画像が静止画像であると判断された場合（第１の動作モードが選択された場合）には、制御回路１５０Ｂは、各発光部２６２Ｒ，Ｇ，Ｂから連続的に光が射出されるように、発光部駆動回路１１２に第１の制御信号ＬＳ１を供給する。一方、表示対象画像が動画像であると判断された場合（第２の動作モードが選択された場合）には、制御回路１５０Ｂは、各発光部２６２Ｒ，Ｇ，Ｂから断続的に光が射出されるように、発光部駆動回路１１２に第２の制御信号ＬＳ２を供給する。
【００９５】
発光部駆動回路１１２は、第１実施例と同様に、各発光部２６２Ｒ，Ｇ，Ｂに電力を供給して、各発光部２６２Ｒ，Ｇ，Ｂを駆動する。ただし、本実施例では、発光部駆動回路１１２は、制御回路１５０Ｂから与えられる電力選択信号ＰＳ１，ＰＳ２に応じて、各発光部２６２Ｒ，Ｇ，Ｂに供給する電力を変更する。具体的には、発光部駆動回路１１２は、第１の電力選択信号ＰＳ１を受け取った場合（第１の動作モードが選択された場合）には、第１の電力を各発光部２６２Ｒ，Ｇ，Ｂに供給し、第２の電力選択信号ＰＳ２を受け取った場合（第２の動作モードが選択された場合）には、第１の電力よりも大きな第２の電力を各発光部２６２Ｒ，Ｇ，Ｂに供給する。また、本実施例では、発光部駆動回路１１２は、制御回路１５０Ｂから与えられる制御信号ＬＳ１，ＬＳ２に応じて、各発光部２６２Ｒ，Ｇ，Ｂに電力を供給する期間を変更する。
【００９６】
なお、本実施例における発光部２６２Ｒ，Ｇ，Ｂが本発明における光源装置に相当し、制御回路１５０Ｂと発光部駆動回路１１２とが本発明における制御部に相当する。
【００９７】
図８は、第２実施例において第１の動作モードが選択された場合の液晶ライトバルブ２２０Ｒの動作に関するタイミングチャートである。なお、図８（ａ）〜（ｈ）は、図４（ａ）〜（ｈ）と同じであり、図８（ｉ）が追加されている。図８（ｉ）は、発光部駆動回路１１２に供給される第１の制御信号ＬＳ１を示している。
【００９８】
図９は、第２実施例において第２の動作モードが選択された場合の液晶ライトバルブ２２０Ｒの動作に関するタイミングチャートである。なお、図９（ａ）〜（ｈ）は、図５（ａ）〜（ｈ）と同じであり、図９（ｉ）が追加されている。図９（ｉ）は、発光部駆動回路１１２に供給される第２の制御信号ＬＳ２を示している。
【００９９】
なお、発光部駆動回路１１２は、各制御信号ＬＳ１，ＬＳ２がＨレベルに設定される期間では、各発光部２６２Ｒ，Ｇ，Ｂに電力を供給し、Ｌレベルに設定される期間では、各発光部２６２Ｒ，Ｇ，Ｂに電力を供給しない。すなわち、Ｈレベルの期間は、各発光部２６２Ｒ，Ｇ，Ｂの点灯期間であり、Ｌレベルの期間は、消灯期間である。
【０１００】
図８（ｉ）に示すように、第１の制御信号ＬＳ１は、Ｈレベルで維持されている。すなわち、静止画像が表示される場合に選択される第１の動作モードでは、各発光部２６２Ｒ，Ｇ，Ｂは点灯した状態で維持される。一方、図９（ｉ）に示すように、第２の制御信号ＬＳ２は、間欠的に発生するＬレベルパルスを含んでいる。すなわち、動画像が表示される場合に選択される第２の動作モードでは、各発光部２６２Ｒ，Ｇ，Ｂは間欠的に消灯する。本実施例では、第２の制御信号ＬＳ２は、黒色画像選択信号ＢＴ（図９（ｆ））と同じ波形を有している。
【０１０１】
動画像が表示される場合に、図９（ｉ）に示す第２の制御信号ＬＳ２が利用されれば、動画ボケをより低減することができる。具体的には、本実施例では、第１実施例と同様に、図９（ｆ）に示すように、黒色画像選択信号ＢＴがＬレベルに設定される期間では、各液晶素子ＬＣは黒色画素データに応じた動作状態に設定されるが、液晶ライトバルブ２２０Ｒ，Ｇ，Ｂからの光の射出を完全に禁止することは困難である。このため、各発光部２６２Ｒ，Ｇ，Ｂが点灯した状態で維持される場合には、各液晶素子ＬＣが黒色画素データに応じた動作状態に設定された際に、僅かな輝度を有する黒色画像（すなわちグレー画像）が表示されてしまう。しかしながら、図９（ｉ）に示すように、第２の制御信号ＬＳ２がＬレベルに設定されれば、各発光部２６２Ｒ，Ｇ，Ｂが消灯した状態となるため、僅かな輝度を有する黒色画像（グレー画像）の表示が抑制される。これにより、動画ボケをより低減することができる。
【０１０２】
なお、本実施例では、第２の制御信号ＬＳ２の周波数（図９（ｉ））は、黒色画像選択信号ＢＴ（図９（ｆ））と同様に、垂直同期信号ＶＳの周波数の２倍に設定されているが、これに代えて、１倍以上に設定されてもよい。ただし、第２の制御信号ＬＳ２の周波数は、黒色画像選択信号ＢＴと同様に、垂直同期信号ＶＳの周波数の２倍以上であることが好ましい。こうすれば、画像の非表示期間の存在に起因するフリッカの発生を抑制することができる。また、本実施例では、第２の制御信号ＬＳ２がＬレベルに設定される期間は、黒色画像選択信号ＢＴと同様に、第２の制御信号ＬＳ２の１周期の約２０％の期間に設定されているが、これに代えて、約１０％〜約４０％の期間に設定されるようにしてもよい。なお、本実施例では、第２の制御信号ＬＳ２は、黒色画像選択信号ＢＴと同じ波形を有しているが、異なる波形を有していてもよい。
【０１０３】
ところで、第１の動作モードと第２の動作モードとで発光部駆動回路１１２から各発光部２６２Ｒ，Ｇ，Ｂに供給される電力（ワット）が等しい場合には、第２の動作モードにおいて各発光部２６２Ｒ，Ｇ，Ｂから射出されるトータル光量（すなわち累積的な光量）は、第１の動作モードにおけるトータル光量よりも小さくなる。具体的には、点灯期間をＴｏｎ，消灯期間をＴｏｆｆとすると、第２の動作モードにおけるトータル光量は、第１の動作オードにおけるトータル光量のＴｏｎ／（Ｔｏｎ＋Ｔｏｆｆ）倍となる。このため、第２の動作モードでは、観察者によって感じられる画像の明るさ（累積的な輝度）が低下する。そこで、本実施例では、発光部駆動回路１１２は、第２の動作モードにおいて第２の電力選択信号ＰＳ２を受け取った場合には、各発光部２６２Ｒ，Ｇ，Ｂに比較的大きな第２の電力Ｗ２を供給している。具体的には、第１の動作モードにおいて各発光部２６２Ｒ，Ｇ，Ｂに供給される第１の電力をＷ１とすると、第２の電力Ｗ２は、以下の式で表される。
【０１０４】
Ｗ２  ＝  Ｗ１  ×  （１＋Ｔｏｆｆ／（Ｔｏｎ＋Ｔｏｆｆ））
【０１０５】
第２の動作モードにおいて、発光部駆動回路１１２が各発光部２６２Ｒ，Ｇ，Ｂに第２の電力Ｗ２を供給すれば、第１の動作モードにおけるトータル光量が第１の動作モードにおけるトータル光量とほぼ等しくなるため、第２の動作モードにおける画像の明るさの低下を抑制することができる。
【０１０６】
また、第２の動作モードでは、消灯期間が設けられていると共に、点灯期間において各発光部２６２Ｒ，Ｇ，Ｂから射出される光の強度は第１の動作モードよりも高いため、第１の動作モードよりもコントラストを向上させることができる。
【０１０７】
さらに、第２の動作モードでは各発光部２６２Ｒ，Ｇ，Ｂの消灯期間が設けられているため、各発光部２６２Ｒ，Ｇ，Ｂが比較的大きな第２の電力Ｗ２で駆動することに起因する各発光部２６２Ｒ，Ｇ，Ｂの寿命の短縮を緩和することができるという利点もある。
【０１０８】
なお、この発明は上記の実施例や実施形態に限られるものではなく、その要旨を逸脱しない範囲において種々の態様において実施することが可能であり、例えば次のような変形も可能である。
【０１０９】
（１）上記実施例では、電圧選択回路３５０が利用されており、選択電圧ＶＢは、２つの電圧Ｖ＋，Ｖ−に交互に変更されているが、電圧選択回路３５０は省略可能である。この場合には、各セルには、正の電圧Ｖ＋または負の電圧Ｖ−が供給されればよい。ただし、上記実施例のように、選択電圧ＶＢが２つの電圧Ｖ＋，Ｖ−に交互に変更されれば、液晶素子ＬＣの劣化を低減することができる。
【０１１０】
また、上記実施例では、液晶ライトバルブ２２０Ｒ，Ｇ，Ｂは、ノーマリホワイト方式で動作しており、各液晶素子ＬＣに正の電圧Ｖ＋または負の電圧Ｖ−が印加される場合に黒色（最低輝度値）が表示され、各液晶素子ＬＣに０Ｖ（グランドレベル）が印加される場合に白色（最大輝度値）が表示される。しかしながら、これに代えて、ノーマリブラック方式で動作する液晶ライトバルブが利用されてもよい。この液晶ライトバルブでは、各液晶素子ＬＣに０Ｖ（グランドレベル）が印加される場合に黒色（最低輝度値）が表示される。したがって、この液晶ライトバルブが利用される場合にも、電圧選択回路３５０は省略可能である。
【０１１１】
（２）上記実施例では、各セル３０２は、バッファ回路ＢＦａ，ＢＦｂを備えているが、バッファ回路ＢＦａ，ＢＦｂは省略可能である。ただし、この場合には、画素データを転送する際に、画素データの値（電圧値）が第２のトランジスタＴＲｂやスイッチＳＷのオン抵抗に起因して小さくなってしまうため、アナログ画像データＦＤの振幅が予め比較的大きく設定さていることが好ましい。
【０１１２】
（３）上記実施例では、液晶ライトバルブ２２０Ｒ，Ｇ，Ｂは、複数のセル３０２を含むセルアレイと、４つの回路３２０，３３０，３４０，３５０を含む駆動回路と、が一体的に形成された１つのデバイスである。しかしながら、これに代えて、セルアレイと駆動回路とは、独立した２つのデバイスであってもよい。あるいは、複数の液晶素子ＬＣと他の電気回路（すなわちセルアレイ内の電気回路および駆動回路）とは、独立した２つのデバイスであってもよい。
【０１１３】
（４）上記実施例では、液晶ライトバルブ２２０Ｒ，Ｇ，Ｂに本発明が適用されているが、これに代えて、他のタイプのデバイスに本発明が適用されるようにしてもよい。例えば、ＤＭＤ（ディジタル・マイクロミラー・デバイス）（ＴＩ社の商標）などのマイクロミラー型光変調デバイスなどに本発明が適用されてもよい。また、ＰＤＰ（Plasma Display Panel）、ＦＥＤ（Field Emission Display）、ＥＬ（electroluminescence）ディスプレイなどの自発光タイプのデバイスに本発明が適用されてもよい。
【０１１４】
一般には、表示装置は、複数の光素子を備えていればよい。
【０１１５】
（５）第１実施例では、光源ランプ２１２を含む照明光学系が利用されているが、これに代えて、第２実施例と同様に発光部（すなわち、ＬＥＤなどの固体光源）を含む照明光学系が利用されてもよい。また、第２実施例では、発光部２６２Ｒ，Ｇ，Ｂを含む照明光学系が利用されているが、これに代えて、第１実施例と同様に光源ランプ（すなわち、水銀ランプなどの放電管）を含む照明光学系が利用されてもよい。
【０１１６】
（６）上記実施例では、本発明の表示システムはプロジェクタに適用されているが、これに代えて、直視型のディスプレイに適用されてもよい。
【０１１７】
（７）上記実施例において、ハードウェアによって実現されていた構成の一部をソフトウェアに置き換えるようにしてもよく、逆に、ソフトウェアによって実現されていた構成の一部をハードウェアに置き換えるようにしてもよい。
【符号の説明】
【０１１８】
１１０…光源ランプ駆動回路
１１２…発光部駆動回路
１２０…アナログ画像データ供給回路
１５０，１５０Ｂ…制御回路
２１０…照明光学系
２１２…光源ランプ
２６０Ｒ，Ｇ，Ｂ…照明光学系
２６２Ｒ，Ｇ，Ｂ…発光部
２２０Ｒ，Ｇ，Ｂ…液晶ライトバルブ
２３０…投写光学系
３０２…セル
３２０…行選択回路
３３０…列選択回路
３４０…画素データ供給回路
３５０…電圧選択回路
ＢＦａ，ＢＦｂ…バッファ回路
Ｃａ，Ｃｂ…キャパシタ
ＬＣ…液晶素子
ＰＪ，ＰＪＢ…プロジェクタ
ＳＷ…スイッチ
ＴＲ…トランジスタ
ＴＲａ，ＴＲｂ…トランジスタ
【図１】
0005408233.tif 000002
【図２】
0005408233.tif 000003
【図３】
0005408233.tif 000004
【図４】
0005408233.tif 000005
【図５】
0005408233.tif 000006
【図６】
0005408233.tif 000007
【図７】
0005408233.tif 000008
【図８】
0005408233.tif 000009
【図９】
0005408233.tif 000010